(57)【特許請求の範囲】
【請求項１】
前面扉の前面において商品に関する表示を行う自動販売機の表示装置であって、
コネクタ部が実装された基板と、
前記基板が収容されるとともに背面が前記前扉の裏面に露出され、該背面に前記コネクタ部のケーブル接続用に開口された開口部を有する筐体とを備え、
前記筐体の底部には、前記コネクタ部の直下に位置して該底部内側から外側に連通する排水部を有することを特徴とする自動販売機の表示装置。
【請求項２】
前記排水部は前記底部に穿孔された孔であることを特徴とする請求項１に記載の自動販売機の表示装置。
【請求項３】
前記底部は、前記排水部から前記筐体外に向けて下側に傾斜する外方傾斜面を有することを特徴とする請求項２に記載の自動販売機の表示装置。
【請求項４】
前記底部は、前記排水部と前記筐体内に収容された前記基板の本体との間に前記開口部の幅方向に沿って上方に突出した凸条部を有することを特徴とする請求項３に記載の自動販売機の表示装置。
【請求項５】
前記凸条部は前記コネクタ部に当接していることを特徴とする請求項４に記載の自動販売機の表示装置。
【請求項６】
前記排水部は前記底部を前記開口部に至るまで切り欠いた切り欠きであることを特徴とする請求項１に記載の自動販売機の表示装置。
【請求項７】
請求項１乃至６の何れかの前記表示装置を備えた自動販売機。
【発明の詳細な説明】
【技術分野】
【０００１】
本発明は自動販売機及びその表示装置に関し、例えば自動販売機に投入された金額を前扉の前面において表示する金額表示器等の表示装置に関する。
【背景技術】
【０００２】
この種の表示装置には、自動販売機において投入された金額を前扉の前面において表示する金額表示器が知られている。金額表示器の筐体には背面にコネクタ部が実装された基板が収容され、筐体の背面にはコネクタ部のケーブル接続用に開口された開口部が形成されている（例えば特許文献１参照）。
【先行技術文献】
【特許文献】
【０００３】
【特許文献１】特開平７−２７２０７６号公報
【発明の概要】
【発明が解決しようとする課題】
【０００４】
このような金額表示器では、自動販売機の前扉の開閉時に前扉の上部等に付着した雨水等が飛散し、水滴が金額表示器の筐体背面に付着することがある。筐体背面に付着した水滴は当該背面を垂れて流下し、開口部から筐体内に侵入し、コネクタ部を伝わって基板に到達すると基板がショートして延焼するおそれがある。
本発明は上述の事情に基づいてなされたもので、その目的とするところは、筐体の開口部近傍に簡単な構成で且つ効果的な排水対策を施すことにより、信頼性を高めた自動販売機の表示装置を提供することにある。
【課題を解決するための手段】
【０００５】
上記の目的を達成するため、本発明の自動販売機の表示装置は、前面扉の前面において商品に関する表示を行う自動販売機の表示装置であって、コネクタ部が実装された基板と、前記基板が収容されるとともに背面が前記前扉の裏面に露出され、該背面に前記コネクタ部のケーブル接続用に開口された開口部を有する筐体とを備え、前記筐体の底部には、前記コネクタ部の直下に位置して該底部内側から外側に連通する排水部を有することを特徴としている（請求項１）。
【０００６】
好ましくは、前記排水部は前記底部に穿孔された孔である（請求項２）。
好ましくは、前記底部は、前記排水部から前記筐体外に向けて下側に傾斜する外方傾斜面を有する（請求項３）。
好ましくは、前記底部は、前記排水部と前記筐体内に収容された前記基板の本体との間に前記開口部の幅方向に沿って上方に突出した凸条部を有する（請求項４）。
【０００７】
好ましくは、前記凸条部は前記コネクタ部に当接している（請求項５）。
好ましくは、前記排水部は前記底部を前記開口部に至るまで切り欠いた切り欠きである（請求項６）。
また、本発明の自動販売機は、上記の何れかの構成を有する表示装置を備える（請求項７）。
【発明の効果】
【０００８】
本発明によれば、筐体の底部は、コネクタ部の直下に位置して排水部を有することにより、自動販売機の前扉の開閉時に前扉の上部等に付着した雨水等が飛散して筐体背面に水滴が付着し、当該水滴が筐体背面を垂れて流下し、開口部から筐体内に侵入したとしても、底部の排水部から排水することができる。従って、筐体内に侵入した水滴の滞留を解消することができるため、水滴がコネクタ部を伝って基板に到達し、基板がショートして延焼する危険性を低減することができ、自動販売機の信頼性を高めることができる（請求項１）。
【０００９】
また、本発明によれば、具体的には上記排水部は底部に穿孔された孔である（請求項２）。
また、本発明によれば、底部が排水部から筐体外に向けて下側に傾斜する外方傾斜面を有することにより、開口部から筐体内に侵入し、底部の排水部から筐体外側に亘る領域である底外方部に滞留した水滴をその自重により開口部から迅速に排水することができる。従って、筐体内に侵入した水滴の滞留を迅速に解消し、表示装置に対し更に効果的な排水対策を施すことができる（請求項３）。
【００１０】
また、本発明によれば、底部が排水部と前記筐体内に収容された前記基板の本体との間に前記開口部の幅方向に沿って上方に突出した凸条部を有することにより、開口部から筐体内に侵入し、底部の排水部から筐体内側の底内方部に滞留した水滴が基板本体に到達することを防止することができる。従って、筐体内に侵入した水滴の滞留を迅速に解消し、表示装置に対し更に効果的な排水対策を施すことができる（請求項４）。
【００１１】
また、本発明によれば、凸条部がコネクタ部に当接していることにより、開口部から筐体内に侵入し、底部の排水部から筐体内側に亘る領域である底内方部に滞留した水滴が凸条部を超えて基板本体に到達することを確実に防止することができる。従って、筐体内に侵入した水滴の滞留を迅速に解消し、表示装置に対し更に効果的な排水対策を施すことができる（請求項５）。
【００１２】
また、本発明によれば、前記排水部を前記底部を前記開口部に至るまで切り欠いた切り欠きとすることにより、ケーブルの先端に設けられたプラグをコネクタ部に対し容易に抜き差し可能となるため、表示装置に対する配線の作業性を向上することができる（請求項６）。
また、本発明によれば、上記した簡単な構成で且つ効果的な排水対策を施した表示装置を備える信頼性の高い自動販売機を提供することができる（請求項７）。
【図面の簡単な説明】
【００１３】
【図１】本発明の一実施形態に係る金額表示器が組み込まれた自動販売機の全体斜視図である。
【図２】図１の自動販売機の前扉を開けた状態を示す斜視図である。
【図３】図１の金額表示器の分解斜視図である。
【図４】図３のプリント基板のみが収容された状態の支持枠体を図３のＡ−Ａ方向から見た横断面図である。
【図５】図４のプリント基板のみが収容された状態の支持枠体を図４のＢ−Ｂ方向から見た縦断面図である。
【図６】図５のプリント基板のみが収容された状態の支持枠体の変形例を示した縦断面図である。
【発明を実施するための形態】
【００１４】
以下に本発明の一実施形態に係る自動販売機の表示装置である金額表示器について図面を参照して説明する。
図１は当該金額表示器（表示装置）１が組み込まれた自動販売機２の全体斜視図を示す。自動販売機２には前扉４が取り付けられ、前扉４の前面４ａの上部側には、缶飲料などの商品６を購入する購入者が購入時に正対する接客面８が形成されている。
【００１５】
接客面８の内側には、各商品６に対応する商品見本１０が展示され、接客面８における各商品見本１０の下方には、各商品見本１０に対応する商品選択ボタン１２及び商品情報表示部１４がそれぞれ設けられている。また、前扉４の前面４ａの中間部には、商品６の料金を投入するための料金投入部１６、料金を返金させるための返金レバー１８、投入金額を表示するための金額表示器１などが設けられている。また、前扉２の前面４ａの下部側には、商品４が払い出される商品取出口２０、釣り銭が払い出される釣り銭取出口２２などが設けられている。
【００１６】
図２は自動販売機２の前扉４を開けた状態を示す斜視図を示す。自動販売機２は、同種の商品６が収納される商品収納庫２４を複数備えている。前扉４の内側には、各商品収納部２４の商品補充口２６を含む開口部全体を開閉する内扉２８が取り付けられている。前扉４の裏面４ｂには、自動販売機２の各種設定を行ったり当該設定状態を表示したりする表示入力設定部３０が設けられている。
【００１７】
また、裏面４ｂには金額表示器１の背面（筐体背面）３８ｃや料金投入部１６及び返金レバー１８の背面１６ａ等が露出されている。背面１ａ、１６ａには金額表示器１と自動販売機２内に設置された他の装置（不図示の電源装置、制御装置、硬貨処理装置等）とを接続する図示しないケーブルが接続される。
図３は金額表示器１の分解斜視図を示す。金額表示器１は、何れも矩形状をなす保護カバー３２、前面カバー３４、プリント基板（基板）３６、及び支持枠体（筐体）３８を前側から順次重ねた１つのユニットとして構成されている。
【００１８】
保護カバー３２は、透明性を有する樹脂材料等から形成され、支持枠体３８に係合することで前面カバー３４及びプリント基板３６を収容するための１つの筐体４０を構成している。
前面カバー３４は、その前面３４ａが文字部分を透明にした印字シートで構成され、前面カバー３４の内部は穿孔加工が適宜施され、プリント基板３６の前面３６ａにおける各実装部の表示が前面３４ａに配された各表示枠内に適切に表示される。
【００１９】
プリント基板３６は、その前面３６ａに金額表示部４２やデータ通信部４４、その他図示しない販売中ランプ、お札使用不可ランプ、釣銭切れランプ等が実装され、背面３６ｂには外部接続用の接続ピン４６ａを有するコネクタ部４６や、図示しないＩＣチップ、スピーカー等が実装されている。
支持枠体３８は、前面全開口の有底形状をなし、その前面開口部３８ａからプリント基板３６、前面カバー３４が順次収容される。
【００２０】
支持枠体３８の背面部３８ｂには、４つの隅部に支持枠体３８の深さ方向の中途に至る高さで支持部４８が立設され、各支持部４８にプリント基板３６の４つの角部が当接することで支持枠体３８に対するプリント基板３６の位置決めが可能になるとともに、プリント基板３６と背面部３８ｂとの間にプリント基板３６排熱用の空間が確保される。
図４はプリント基板３６のみが収容された状態の支持枠体３８を図３のＡ−Ａ方向から見た横断面図である。支持枠体３８の背面３８ｃには外部接続用の３つのコネクタ部４６にケーブルを接続するための３つの背面開口部（開口部）５０が各コネクタ部４６に対応する位置に開口されている。
【００２１】
支持部４８は、支持枠体３８にプリント基板３６を収容したとき、コネクタ部４６が背面開口部５０から支持枠体３８の外方に突出せず、且つコネクタ部４６にケーブルを接続するのに支障のない高さに形成されている。
図５はプリント基板３６のみが収容された状態の支持枠体３８を図４のＢ−Ｂ方向から見た縦断面図である。図３にも示されるように、支持枠体３８の底部３８ｄには、背面開口部５０の下端縁部５０ａの全域に亘って排水孔（排水部）５２が穿孔されている。
【００２２】
また、底部３８ｄには、排水孔５２とプリント基板３６の基板本体（本体）５４との間に背面開口部５０の幅方向に沿って上方に突出した凸条部５６が下端縁部５０ａの全域に亘って立設され、凸条部５６はコネクタ部４６に当接する高さを有している。
また、底部３８ｄは、その上面が凸条部５６から排水孔５２を経て支持枠体３８の外方に向けて下側に傾斜する外方傾斜面５８に形成されている。
【００２３】
ここで、自動販売機２の前扉４の開閉時には、前扉４の上部等に付着した雨水等が飛散し、稀に図５に示すように水滴６０が支持枠体３８の背面３８ｃに付着し、背面３８ｃに付着した水滴６０は背面３８ｃを垂れて流下し、外方傾斜面５８に到達し、水滴６０が底部３８ｄの排水孔５２から支持枠体３８の外側に亘る領域である底外方部６２に一時的に滞留する場合がある。この場合には、水滴６０はその自重により外方傾斜面５８を流れて支持枠体３８の背面３８ｃ側の外方に導かれ、背面開口部５０から排水される。
【００２４】
また、水滴６０がコネクタ部４６の上部から流下するなどし、外方傾斜面５６に到達した水滴６０が底部３８ｄの排水孔５２から支持枠体３８の内側に亘る領域である底内方部６４に一時的に滞留することがある。この場合には、水滴６０はその自重により外方傾斜面５８を流れて支持枠体３８の背面３８ｃ側の外方に導かれ、排水孔５２から排水される。また、底内方部６４に一時的に滞留した水滴６０は凸条部５６によって基板本体５４に到達することが阻止される。
【００２５】
金額表示器１がこのような排水孔５２を有することにより、背面開口部５０から筐体４０内へ水滴６０が侵入したとしても、排水孔５２から排水することができる。従って、筐体４０内に侵入した水滴６０の滞留を解消することができるため、水滴６０がコネクタ部４６を伝ってプリント基板３６に到達し、プリント基板３６がショートして延焼する危険性を低減することができ、自動販売機２の信頼性を高めることができる。
【００２６】
また、底部３８ｄが外方傾斜面５８を有することにより、背面開口部５０から筐体４０内に侵入し、底外方部６２に滞留した水滴６０をその自重により背面開口部５０から迅速に排水し、一方、底内方部６４に滞留した水滴６０をその自重により排水孔５２から迅速に排水することができる。
また、底部３８ｄが凸条部５６を有し、凸条部５６がコネクタ部４６に当接していることにより、背面開口部５０から筐体４０内に侵入し、底内方部６４に滞留した水滴６０が凸条部５６を超えて基板本体５４に到達することを確実に防止することができる。以上により、筐体４０内に侵入した水滴６０の滞留を迅速に解消し、金額表示器１に対し効果的な排水対策を施すことができる。
【００２７】
本発明は、上述の実施形態に制約されるものではなく種々の変形が可能である。
例えば上記実施形態では、外方傾斜面５８は凸条部５６から排水孔５２を経て筐体４０外に向けて下側に傾斜して形成されるが、これに限らず、外方傾斜面５８を少なくとも排水孔５２から筐体４０外に向けて下側に傾斜するように形成すれば、底部３８ｄにおける凸条部５６から排水孔５２までの間が水平面であったとしても、底外方部６２に滞留した水滴６０をその自重により開口部から迅速に排水することはできる。
【００２８】
また、上記実施形態では、凸条部５６がコネクタ部４６に当接しているが、これに限らず、凸条部５６とコネクタ部４６との間に若干の隙間があっても良く、この場合には、少なくとも底内方部６４に滞留した水滴６０が基板本体５４に到達することを防止することはできる。
また、上記実施形態では、支持枠体３８の底部３８ｄに排水孔５２が穿孔されているが、これに限らず、図６に示すように底部３８ｄを開口部５０に至るまで切り欠いた切り欠き部（排水部）６６を開口部５０の下端縁部５０ａの全域に亘って形成しても良い。この場合にも背面開口部５０から筐体４０内に侵入した水滴６０を排水孔５２から迅速に排水することができるとともに、ケーブルの先端に設けられた図示しないプラグをコネクタ部４６に対し容易に抜き差し可能となるため、金額表示器１に対する配線の作業性を向上することができる。
【００２９】
最後に、上記実施形態では金額表示器１について説明したが、これに限らず、前扉４の前面４ａにおいて商品６に関する表示を行い、プリント基板が収容されるとともに背面が前扉４の裏面４ｂに露出され、該背面にコネクタ部用の開口部を有する筐体を備えていれば、自動販売機１の他の表示装置に本発明を適用できることは勿論である。
【符号の説明】
【００３０】
１    金額表示器（表示装置）
２    自動販売機
４    前扉
４ａ    前面
４ｂ    裏面
６    商品
３６    プリント基板（基板）
３８    支持枠体（筐体）
３８ｃ    背面（筐体背面）
３８ｄ    底部
４０    筐体
４６    コネクタ部
５０    背面開口部（開口部）
５０ａ    下端縁部
５２    排水孔（排水部）
５４    基板本体（本体）
５６    凸条部
５８    外方傾斜面
６６    切り欠き部（排水部）
【図１】
0005882722.tif 000002
【図２】
0005882722.tif 000003
【図３】
0005882722.tif 000004
【図４】
0005882722.tif 000005
【図５】
0005882722.tif 000006
【図６】
0005882722.tif 000007